(57)【要約】【課題】所望とする情報を取得できる可能性が非常に高い情報サービス提供システムを提供する。【解決手段】本発明の情報サービス提供システムは、通信網を介して接続されたユーザーの情報処理端末から送信されたテキストデータをユーザー毎・時間毎に蓄積すると共に、蓄積したテキストデータをユーザーの情報処理端末に閲覧可能に配信する情報サービス提供システムにおいて、ユーザーの情報処理端末から問い合わせテキストデータを受信する問い合わせテキストデータ受信手段（ステップＳ２０１）と、受信した問い合わせテキストデータから、キーワードを抽出するキーワード抽出手段（ステップＳ２０２）と、抽出されたキーワード又はキーワードと類似する類似ワードを、蓄積されたテキストデータから検索する検索手段（ステップＳ２０１４と、検索されたテキストデータを送信したユーザーに対して、問い合わせテキストデータを送信する問い合わせテキストデータ送信手段（ステップＳ２０６）と、を有することを特徴とする。【選択図】  図６
2011180832.tif 000002
【特許請求の範囲】
【請求項１】
通信網を介して接続されたユーザーの情報処理端末から送信されたテキストデータをユーザー毎・時間毎に蓄積すると共に、蓄積したテキストデータをユーザーの情報処理端末に閲覧可能に配信する情報サービス提供システムにおいて、
ユーザーの情報処理端末から問い合わせテキストデータを受信する問い合わせテキストデータ受信手段と、
受信した問い合わせテキストデータから、キーワードを抽出するキーワード抽出手段と、抽出されたキーワード又はキーワードと類似する類似ワードを、蓄積されたテキストデータから検索する検索手段と、
検索されたテキストデータを送信したユーザーに対して、問い合わせテキストデータを送信する問い合わせテキストデータ送信手段と、を有することを特徴とする情報サービス提供システム。
【請求項２】
前記検索手段で検索を行う際に対象とするテキストデータを、所定時間内に蓄積されたテキストデータに限定することを特徴とする請求項１に記載の情報サービス提供システム。
【請求項３】
検索されたテキストデータを送信したユーザーによって送信された回答テキストデータを受信する回答テキストデータ受信手段と、
受信した回答テキストデータを、問い合わせテキストデータを送信したユーザーに対して送信する回答テキストデータ送信手段と、をさらに有することを特徴とする請求項１又は請求項２に記載の情報サービス提供システム。
【請求項４】
前記回答テキストデータ受信手段によって受信した回答テキストデータに不適切なワードが含まれていないかをスクリーニングするスクリーニング手段を、さらに有することを特徴とする請求項３に記載の情報サービス提供システム。
【発明の詳細な説明】
【技術分野】
【０００１】
本発明は、Ｔｗｉｔｔｅｒ（登録商標）と呼ばれる情報サービスをより発展させた情報サービス提供システムに関する。
【背景技術】
【０００２】
近年、Ｔｗｉｔｔｅｒ社によって運営されているＴｗｉｔｔｅｒ（登録商標）と呼ばれる情報サービスが流行の兆しをみせている。このＴｗｉｔｔｅｒ（登録商標）においては、それぞれのユーザーに対して、ユーザー名（ＩＤ）が割り当てられ、ユーザー名に対応したホームページがそれぞれのユーザーに割り当てられる。ユーザーはこのホームページから、「つぶやき」といわれる１４０文字以内のテキストデータを投稿することができる。投稿されたテキストデータ（つぶやき）は、そのユーザーのホームページ上におけるタイムラインと呼ばれるスペースで閲覧可能となると共に、そのユーザーのつぶやきを追いたい、として登録している（フォローしている）ユーザーのホームページのタイムラインでも閲覧可能となる。このような仕組みによって、Ｔｗｉｔｔｅｒは、リアルタイム性があり、しかも、メールのような拘束性がない、ゆるやかなコミュニケーションを実現することが可能となっている。
【０００３】
上記のようなＴｗｉｔｔｅｒを用いて、ユーザーに情報提示を行うことが提案されている。このようなものの一例として、特許文献１（特開２００９−１９３１３３号公報）には、ユーザーに提示する情報である提示情報を含む情報である管理情報を格納し得る管理情報格納部と、ユーザーを識別するユーザー識別子と、当該ユーザーが他の人に読んでもらうために入力した文章を取得する文章取得部と、前記取得した文章から、当該文章を構成する１以上の用語を取得する文章処理部と、前記管理情報格納部から、前記１以上の用語を用いて取得され得る１以上の提示情報を取得する提示情報取得部と、前記提示情報取得部が取得した提示情報を出力する提示情報出力部を具備する情報処理装置が開示されている。
【特許文献１】特開２００９−１９３１３３号公報
【発明の概要】
【発明が解決しようとする課題】
【０００４】
従来技術は、ユーザーに提示可能な提示情報を抽出することが可能であるが、ユーザーに提示した情報と、ユーザーが所望していた情報とが一致する可能性は必ずしも高くない、という問題があった。
【課題を解決するための手段】
【０００５】
上記問題点を解決するために、請求項１に係る発明は、通信網を介して接続されたユーザーの情報処理端末から送信されたテキストデータをユーザー毎・時間毎に蓄積すると共に、蓄積したテキストデータをユーザーの情報処理端末に閲覧可能に配信する情報サービス提供システムにおいて、ユーザーの情報処理端末から問い合わせテキストデータを受信する問い合わせテキストデータ受信手段と、受信した問い合わせテキストデータから、キーワードを抽出するキーワード抽出手段と、抽出されたキーワード又はキーワードと類似する類似ワードを、蓄積されたテキストデータから検索する検索手段と、検索されたテキストデータを送信したユーザーに対して、問い合わせテキストデータを送信する問い合わせテキストデータ送信手段と、を有することを特徴とする情報サービス提供システム。
【０００６】
また、請求項２に係る発明は、請求項１に記載の情報サービス提供システムにおいて、前記検索手段で検索を行う際に対象とするテキストデータを、所定時間内に蓄積されたテ
キストデータに限定することを特徴とする。
【０００７】
また、請求項３に係る発明は、請求項１又は請求項２に記載の情報サービス提供システムにおいて、検索されたテキストデータを送信したユーザーによって送信された回答テキストデータを受信する回答テキストデータ受信手段と、受信した回答テキストデータを、問い合わせテキストデータを送信したユーザーに対して送信する回答テキストデータ送信手段と、をさらに有することを特徴とする。
【０００８】
また、請求項４に係る発明は、請求項３に記載の情報サービス提供システムにおいて、前記回答テキストデータ受信手段によって受信した回答テキストデータに不適切なワードが含まれていないかをスクリーニングするスクリーニング手段を、さらに有することを特徴とする。
【発明の効果】
【０００９】
本発明に係る情報サービス提供システムによれば、問い合わせ元となるユーザーが所望している情報を提供してくれる可能性が高いユーザー（問い合わせ先ユーザー）を抽出して、抽出されたユーザーに対して、情報要求に係る問い合わせテキストデータを送信するので、問い合わせ元のユーザーが取得する情報は、所望していた情報と一致する可能性が非常に高くなる。
【図面の簡単な説明】
【００１０】
【図１】本発明の実施形態に係る情報サービス提供システムの概念を模式的に説明する図である。
【図２】本発明の実施形態に係る情報サービス提供システムに基づくサービス画面例を示す図である。
【図３】本発明の実施形態に係る情報サービス提供システムにおける初期設定処理のフローチャートを示す図である。
【図４】本発明の実施形態に係る情報サービス提供システムにおけるつぶやきデータの構成例を示す図である。
【図５】本発明の実施形態に係る情報サービス提供システムにおけるサービス画面で問い合わせを実行する例を示す図である。
【図６】本発明の実施形態に係る情報サービス提供システムにおける問い合わせシーケンス例を示す図である。
【図７】問い合わせ先ユーザーのサービス画面例を示す図である。
【図８】本発明の実施形態に係る情報サービス提供システムにおけるデータ蓄積構造例を示す図である。
【図９】問い合わせ先ユーザーのサービス画面例を示す図である。
【図１０】問い合わせ先ユーザーのサービス画面例を示す図である。
【図１１】問い合わせ元ユーザーのサービス画面例を示す図である。
【図１２】本発明の他の実施形態に係る情報サービス提供システムにおける問い合わせ元ユーザーのサービス画面例を示す図である。
【発明を実施するための形態】
【００１１】
以下、本発明の実施の形態を図面を参照しつつ説明する。図１は本発明の実施形態に係る情報サービス提供システムの概念を模式的に説明する図である。図１において、１０は情報サービス提供システム、２０はパーソナルコンピューター（情報処理端末）、３０はＰＤＡ（情報処理端末）、４０は携帯電話（情報処理端末）、５０はネットワーク、６０は無線ＬＡＮ接続ポイント、７０は基地局をそれぞれ示している。
【００１２】
本実施形態に係る情報サービス提供システム１０は、Ｔｗｉｔｔｅｒ（登録商標）によ
る情報サービスを前提とするものであり、そのためのシステムを包含するものとなっている。本実施形態に係る情報サービス提供システム１０は、例えば汎用のサーバーなどで構成することが可能である。このようなサーバーをネットワーク５０と通信可能に接続することにより、ネットワーク５０を介して、個々のユーザーの情報処理端末から、送信されたテキストデータを含むつぶやきデータを収集する。個々のユーザーから送信されたつぶやきデータは、不図示のハードディスクなどの記憶装置に記憶されると共に、所定のユーザーの情報処理端末に閲覧可能なように配信する。それぞれの情報処理端末における閲覧形式について後に例示する。
【００１３】
本実施形態に係る情報サービス提供システム１０が提供するサービスを利用するために、ユーザーは情報処理端末を利用するが、このような情報処理端末の例としてはパーソナルコンピューター２０、ＰＤＡ３０、携帯電話４０を挙げることができるが、これらに限定されるものではない。いずれの情報処理端末を用いるにしても、当該情報処理端末が、有線のＬＡＮや、無線ＬＡＮ接続ポイント６０、或いは基地局７０などを介してネットワーク５０と通信可能に接続されていることが要求される。また、情報処理端末には、インターネット上で提供されているデータを、表示装置において可視表示可能とするウエッブブラウザなどが稼動することが必要である。このようなウエッブブラウザを利用して、ユーザーは情報処理端末から情報サービス提供システム１０にアクセスしてログインすることで、情報サービスを利用可能な状態となる。なお、ウエッブブラウザやシステムにログインする概念などは、いずれも従来の周知の技術であり、そのための仕組みについてはいずれも従来周知のものを用いることが可能である。
【００１４】
次に、ユーザーが情報サービス提供システム１０にアクセスしてログインしたときの表示画面例に基づいて、画面構成と共に当該情報サービスが提供するサービスについて説明する。図２は本発明の実施形態に係る情報サービス提供システムに基づくサービス画面例を示す図である。
【００１５】
本実施形態に係る情報サービス提供システム１０においては、それぞれのユーザーに対して、ユーザー名（ＩＤ）が割り当てられる。また、それぞれのユーザー名（ＩＤ）に対応したホームページがそれぞれのユーザーに割り当てられる。図２の表示はユーザー（「ｍａｒｕ３３」）がシステムにログインして、情報サービス提供システム１０が提供するホームページをブラウザ上で表示したものである。
【００１６】
このような画面例と共に、情報サービスの機能についても説明する。選択メニュー１０１は、画面表示例１００において、ユーザーが選択可能な「ホーム」、「プロフィール」、「設定」、「ヘルプ」、「ログアウト」などのメニューを表示するものである。このようなメニューに対し、情報処理端末に設けられているポインティングデバイス（不図示）などの入力手段でカーソルを合わせた上で実行を入力することで、ユーザーは所望の処理・動作を起動することができる。
【００１７】
テキスト入力欄１０２は、情報サービス提供システム１０に蓄積させると共に、ユーザー自身、及び、フォローしているユーザーの情報処理端末で閲覧させるためなどのテキストデータを書き込むための欄である。このテキスト入力欄１０２への書き込みは、情報処理端末のキー入力によって行われる。
【００１８】
本実施形態に係る情報サービス提供システム１０では、このようなテキスト入力欄１０２にテキストデータを入力した後、ポインティングデバイスによって、投稿実行ボタン１０３を画面上で押下した場合と、問い合わせ実行ボタン１０４を画面上で押下した場合とで異なる処理が実行される。ここでは、投稿実行ボタン１０３を押下した場合について説明する。
【００１９】
図１において、ユーザーＡがテキスト入力欄１０２への書き込みを行い、投稿実行ボタン１０３を実行した場合を例に説明する。また、ユーザーＢはユーザーＡをフォローしているものとする。ユーザーＡが投稿実行ボタン１０３を押下すると、ユーザーＡの情報処理端末から、（１）テキスト入力欄１０２で入力されたテキストデータを含むつぶやきデータが、情報サービス提供システム１０に対して送信される。（２）情報サービス提供システム１０では、情報サービス提供システム１０を構成するサーバーに、当該つぶやきデータを蓄積する。次に、情報サービス提供システム１０は、（３）において、つぶやきデータを発信したユーザーＡ及び、これをフォローするユーザーＢに対して、つぶやきデータを配信する。それぞれのユーザー端末では、図２に示すようなホームページにおいて、つぶやきデータを閲覧することが可能となる。
【００２０】
ユーザー名表示欄１０５においては、当該ホームページが割り当てられているユーザー名が表示される欄であり、フォロー関係表示欄１０６には、当該ユーザーがフォローしているカウント数などが表示される欄である。
【００２１】
さて、情報処理端末に、つぶやきデータが情報サービス提供システム１０から配信されると、ホームページに時系列で表示がなされる。このような表示のことをタイムラインと称する。タイムラインは、時系列のつぶやきデータ１０７の表示からなっている。新しいつぶやきデータが配信されると、トップに表示されるようになっている。
【００２２】
つぶやきデータ１０７の表示構成を図２のトップのデータに基づいて説明する。つぶやきデータ１０７の表示は、アイコン、ユーザー名（この例では、「Ｄａｒｒｅｌ」）、テキストデータ（この例では、「クインテットの第３四半期は、５３０億の黒字だったらしい。」）及び、つぶやきデータの送信タイミング等（この例では、「3  minutes ago via
web」）から構成されるようになっている。
【００２３】
図１の（３）に示すように、情報サービス提供システム１０から、つぶやきデータが配信されると、情報サービス提供システム１０が提供するホームページ上のタイムラインでは、上記のような表示構成を有するつぶやきデータ１０７がトップにくるように順次更新されるようになっている。
【００２４】
次に、本実施形態に係る情報サービス提供システム１０による情報サービスを、ユーザーが受けようとする場合における初期設定に係る処理について説明する。図３は本発明の実施形態に係る情報サービス提供システムにおける初期設定処理のフローチャートを示す図である。このようなフローチャートは、情報サービス提供システム１０による情報サービスをユーザーが受けようとしてサービスに登録する際に実行されるものである。
【００２５】
本実施形態に係る情報サービス提供システム１０にアクセスし、ユーザー登録を受けようとすると、図３のフローにおけるステップＳ００１で処理が開始される。
【００２６】
ステップＳ００２では、新たに登録を行いたいユーザーに対して、ユーザー名を要求する。ステップＳ００３で、ユーザー名の返答があったものと判定されると、次に、ステップＳ００４に進み、既に登録しているユーザー名をチェックする。ステップＳ００５で、既登録ユーザー名と重複しないものと判定されると、続いて、ステップＳ００６に進み、申請されたユーザー名を登録する。
【００２７】
次のステップＳ００７では、登録希望ユーザーに対してパスワードを要求し、ステップＳ００８で、適正なパスワードの返答があった場合に、ステップＳ００９に進み、申請されたパスワードの登録を行う。
【００２８】
次に、ステップＳ０１０においては、問い合わせ可否回答要求を行う。「問い合わせ」の可否とは、他のユーザーからの質問を受け付けるか否かに係る意思であり、ステップＳ０１０は、ユーザーにその意思があるか否かを確認するためのステップである。
【００２９】
ステップＳ０１１では、ユーザーからの回答が可であるか否であるかについて判定される。当該判定結果がＹＥＳである場合には、ステップＳ０１２では、回答可能ユーザーとして登録を行い、当該判定結果がＮＯである場合には、ステップＳ０１３では、回答を行わないユーザーとして登録を行う。ステップＳ０１４で、初期設定処理を終了する。
【００３０】
本実施形態においては、所定の情報を所望しているユーザー、すなわち所定の「問い合わせ」を行いたいユーザーが、情報サービス提供システム１０に対してこれを行うことができるようになっている。情報サービス提供システム１０では、「問い合わせ」に対して回答を行ってくれそうなユーザーを抽出し、このユーザーに対して問い合わせをつぶやきデータのように配信する。ステップＳ０１０乃至ステップＳ０１３は、このような問い合わせを受け付けるか否かをユーザー毎に登録するものである。
【００３１】
また、先の問い合わせ実行ボタン１０４は、情報サービス提供システム１０に対して「問い合わせ」を行う場合に押下する。より具体的には、ユーザーがテキスト入力欄１０２への問い合わせ書き込み、問い合わせ実行ボタン１０４を押下することで、情報サービス提供システム１０は、「問い合わせ」に対して回答を行ってくれそうなユーザーを抽出し、抽出したユーザーに、テキスト入力欄１０２に記入されたテキストデータを配信する。本実施形態に係る情報サービス提供システム１０における、「問い合わせ」に係るより詳細な処理については後に説明する。なお、本実施例では、問い合わせ実行ボタン１０４を用いて問い合わせの登録を行っているが、本実施例の方法に限定されるものではない。例えば、質問行為を特定のハッシュタグ、（たとえば＃QUESTIONというような表記）をつけておき、情報サービス提供システム１０はそのつぶやき内のハッシュタグが検出されたときにそのつぶやきを質問とみなして抽出するようにしてもよい。
このようにすることで、問い合わせ実行ボタン１０４を追加することなく、情報提供システム１０内に簡易なルールを追加して、ユーザーの質問を捜すことができるようになる。他の例としては、例えば、情報サービス提供システム１０に質問だけを受けるアカウントを設定しておく。そして、情報サービス提供システム１０が、そのアカウントに送られたつぶやきを質問とみなして抽出するようにしておいてもよい。このようにすることで、上記と同様に、問い合わせ実行ボタン１０４を追加することなく、情報提供システム１０の現状のシステムのユーザーインターフェースを利用しつつ、内部的な簡易な修正を行うだけで、ユーザーの質問を捜すことができるようになる。
【００３２】
次に、情報サービス提供システム１０において、送受信・配信されるつぶやきデータの構造例について説明する。図４は本発明の実施形態に係る情報サービス提供システムにおけるつぶやきデータの構成例を示す図である。図４に示すように、つぶやきデータは、例えば、「発信元  ユーザー名」、「発信日時」、「発信位置情報」、「問い合わせ要否」、「テキストデータ」の５つのデータ部から構成されるようになっている。
「発信元  ユーザー名」は、つぶやきを発信したユーザー名などのＩＤ情報を記憶するデータ部であり、また「発信日時」はつぶやきデータが発信された日時を記憶するデータ部であり、「発信位置情報」はつぶやきデータが発信された位置情報（不図示のＧＰＳなどで取得された緯度・経度データ）を記憶するデータ部である。
【００３３】
「問い合わせ要否」は当該つぶやきデータが通常のつぶやきデータであるのか、これと異なる問い合わせデータであるのかに係る、データ種別を記憶するデータ部であり、例えば、０（通常のつぶやきデータの場合）又は１（問い合わせデータの場合）の２値を取り
得るように設定される。
【００３４】
ユーザーが、テキスト入力欄１０２にテキストデータを入力した後、投稿実行ボタン１０３を画面上で押下した場合には、「問い合わせ要否」のデータ部に「０」が設定され、問い合わせ実行ボタン１０４を画面上で押下した場合には、「問い合わせ要否」のデータ部に「１」が設定される。これにより、情報サービス提供システム１０は受信したデータが、通常のつぶやきデータか、問い合わせデータか否かを判定することができるようになっている。
【００３５】
また、図４の「テキストデータ」はつぶやきデータのテキストデータ部（テキスト入力欄１０２で入力されたもの）である。
【００３６】
図５は本発明の実施形態に係る情報サービス提供システムにおけるサービス画面で問い合わせを実行する例を示す図である。所望の情報を得るために、問い合わせを行いたいユーザーは、テキスト入力欄１０２に、問い合わせたい内容を入力して、問い合わせ実行ボタン１０４を押下することで、テキスト入力欄１０２に記述したテキストデータが情報サービス提供システム１０に送信されるようになっている。
【００３７】
以上のようにユーザーによって問い合わせがなされた場合の情報サービス提供システム１０における処理例を図６によって例示的に説明する。図６は本発明の実施形態に係る情報サービス提供システムにおける問い合わせシーケンス例を示す図である。図６は、問い合わせ元ユーザーの処理、情報サービス提供システム１０における処理、問い合わせ先ユーザーの処理のそれぞれの流れと関わりを図示したものである。なお、図６に示す例では、問い合わせ先ユーザー数が１ユーザーである場合を示しているが、このユーザー数がこれに限定されるわけではない。
【００３８】
図６において、ステップＳ１０１で、問い合わせ元ユーザーが、問い合わせテキストデータA（例えば、図５に示す「お茶の水にあるカレーが美味しい店教えて！」）を作成し
、問い合わせ実行ボタン１０４を押下することで、ステップＳ１０２では、問い合わせテキストデータAが情報サービス提供システム１０に送信される。ステップＳ１０２で送信
されるデータには、「問い合わせ要否」のデータ部に「１」が設定されるので、情報サービス提供システム１０では、問い合わせデータとしてこれを処理する。
【００３９】
情報サービス提供システム１０において、問い合わせ元ユーザーから、ステップＳ２０１で、問い合わせテキストデータAを受信すると、続いて、ステップＳ２０２では、問い
合わせテキストデータAからキーワードの抽出が実行される。このようなキーワード抽出
においては従来周知の文章構造解析の技術が適宜用いられる。図５に示すテキストデータAの例では、例えば、「お茶の水」、「カレー」、「美味しい」、「店」などのワードが
抽出される。
【００４０】
続く、ステップＳ２０３では、シソーラスデータベースを用いて、キーワードに類似する類似ワードを取得する。図５に示すテキストデータAの例では、「うまい」、「ショッ
プ」などの類似ワードが取得される。シソーラスデータベースを用いて、このような類似ワードを取得する処理も従来周知の技術を用いることができる。
【００４１】
ステップＳ２０４では、キーワード、類似ワードによって、情報サービス提供システム１０に蓄積されているテキストデータを検索する。このようなテキストデータを例示的に説明する。図７は問い合わせ先ユーザーのサービス画面例を示す図であり、図８は本発明の実施形態に係る情報サービス提供システムにおけるデータ蓄積構造例を示す図である。図７に示すようなホームページを有するユーザー「souichi6」によるデータは、情報サー
ビス提供システム１０のサーバー側で例えば、図８に示すようなデータ構造で管理されている。ステップＳ２０４においては、「お茶の水」、「カレー」、「美味しい」、「店」、「うまい」、「ショップ」などのワードによって、例えば、「souichi6」が発信したつぶやきデータをヒットさせる。
【００４２】
ステップＳ２０５においては、ヒットしたテキストデータ（この例では、「お茶の水の「なかの」はカレーがうまいお店だよ。」）の送信ユーザーである「souichi6」が特定される。そして、ステップＳ２０６では、問い合わせテキストデータＡを特定されたユーザー「souichi6」に対して送信する。
【００４３】
ステップＳ３０１においては、問い合わせ先ユーザーは、問い合わせテキストデータＡを受信する。このような問い合わせテキストデータＡを受信した場合の表示例は図９に示すようなものとなる。ユーザー「souichi6」のタイムラインには、「問い合わせサービス」のアイコンの下、「お茶の水にあるカレーが美味しい店教えて！」が表示される。
【００４４】
そして、ステップＳ３０２で、この質問に対する回答テキストデータＢ（「お茶の水にあるカレーが美味しいお店の一番のオススメは「なかの」です。駅から歩いて５分くらいです。」）を入力し、ステップＳ３０３で、回答テキストデータＢを送信すると、例えば、「souichi6」のホームページにおいては、図１０のような表示となる。
【００４５】
問い合わせ先ユーザーから、ステップＳ２０７で、回答テキストデータＢを受信した情報サービス提供システム１０は、続く、ステップＳ２０８において、回答テキストデータＢは問い合わせテキストデータＡに対して適切な内容であるか否かを、文章構造解析を実行することなど判定する。この判定がＹＥＳであるときには、ステップＳ２０９に進み、回答テキストデータＢを問い合わせ元ユーザーに送信する。本実施形態においては、情報サービス提供システム１０は、ステップＳ２０８のようなスクリーニング手段を有しているので、適切な回答のみを問い合わせ元ユーザーに送信することが可能となる。
【００４６】
ステップＳ１０３で、問い合わせ元ユーザーは、回答テキストデータＢを受信すると、例えば、図１１に示すようなホームページ表示となる。すなわち、ユーザー「maru33」のタイムラインには、「問い合わせサービス」のアイコンの下、「お茶の水にあるカレーが美味しいお店の一番のオススメは「なかの」です。駅から歩いて５分くらいです。」が表示される。これによって、問い合わせ元ユーザーは、所望とする情報を取得することが可能となる。
【００４７】
以上のように、本発明に係る情報サービス提供システム１０によれば、問い合わせ元となるユーザーが所望している情報を提供してくれる可能性が高いユーザー（問い合わせ先ユーザー）を抽出して、抽出されたユーザーに対して、情報要求に係る問い合わせテキストデータ（Ａ）を送信するので、問い合わせ元のユーザーが取得する情報は、所望していた情報と一致する可能性が非常に高くなる。
【００４８】
次に、本発明の他の実施形態について説明する。図１２は本発明の他の実施形態に係る情報サービス提供システムにおける問い合わせ元ユーザーのサービス画面例を示す図である。先の実施形態においては、情報サービス提供システム１０は、ステップＳ２０５でヒットしたテキストデータの送信ユーザーを特定して、このユーザーに回答を依頼するように構成されていた。本実施形態は、これに対して、ヒットしたテキストデータに係るつぶやきデータを直接、問い合わせ元ユーザーのタイムラインに表示させ閲覧させる処理を実行するものである。すなわち、問い合わせ元ユーザーが、問い合わせテキストデータA（
例えば、図５に示す「お茶の水にあるカレーが美味しい店教えて！」）を作成し、問い合わせ実行ボタン１０４を押下すると、図１２に示すように、souichi6」によるつぶやきデ
ータ（「お茶の水の「なかの」はカレーがうまいお店だよ。」）が表示されるように構成される。
【００４９】
このような実施形態によっても、問い合わせ元のユーザーが取得する情報は、所望していた情報と一致する可能性が非常に高くなる。
【符号の説明】
【００５０】
１０・・・情報サービス提供システム、２０・・・パーソナルコンピューター（情報処理端末）、３０・・・ＰＤＡ（情報処理端末）、４０・・・携帯電話（情報処理端末）、５０・・・ネットワーク、６０・・・無線ＬＡＮ接続ポイント、７０・・・基地局、１００・・・画面表示例、１０１・・・選択メニュー、１０２・・・テキスト入力欄、１０３・・・投稿実行ボタン、１０４・・・問い合わせ実行ボタン、１０５・・・ユーザー名表示欄、１０６・・・フォロー関係表示欄、１０７・・・つぶやきデータ、１１０・・・カウンター
【図１】
2011180832.tif 000003
【図２】
2011180832.tif 000004
【図３】
2011180832.tif 000005
【図４】
2011180832.tif 000006
【図５】
2011180832.tif 000007
【図６】
2011180832.tif 000008
【図７】
2011180832.tif 000009
【図８】
2011180832.tif 000010
【図９】
2011180832.tif 000011
【図１０】
2011180832.tif 000012
【図１１】
2011180832.tif 000013
【図１２】
2011180832.tif 000014